【手続補正書】
【提出日】平成23年4月19日(2011.4.19)
【手続補正１】
【補正対象書類名】特許請求の範囲
【補正対象項目名】全文
【補正方法】変更
【補正の内容】
【特許請求の範囲】
【請求項１】
表示状態が変化可能な可変表示装置を有し、該可変表示装置の表示結果が予め定められた特定の表示態様になった場合に、遊技者に有利な特定遊技状態に制御可能な遊技機であって、
前記遊技機の遊技状態を制御する手段であって、前記可変表示装置における表示を制御するための指令情報を出力する遊技制御手段と、
該遊技制御手段から出力された前記指令情報にしたがって前記可変表示装置における可変表示を開始させた後表示結果を導出表示する制御を行なう可変表示制御手段とを含み、
前記遊技制御手段は、
前記可変表示装置における可変表示の始動条件が成立したか否かを判別する始動条件判別手段と、
該始動条件判別手段により前記始動条件が成立した旨の判別がなされたことに基づいて、前記可変表示装置における可変表示の可変表示態様を決めるために必要となる所定の判定処理を行なう可変表示用判定処理手段と、
前記所定の判定処理の判定結果に基づいて決まる可変表示態様での可変表示制御を指令する前記指令情報を出力する指令情報出力手段とを含み、
該指令情報出力手段は、前記指令情報として、前記可変表示装置における可変表示を開始させるタイミングで、可変表示時間およびリーチ演出の実行の有無を特定可能な可変開始指令情報を出力するとともに、表示結果を導出表示するタイミングで、導出表示指令情報を出力し、
前記可変表示制御手段は、前記可変開始指令情報が出力されたときに前記可変表示装置における可変表示を開始させる制御を行なうとともに前記可変開始指令情報に基づいてリーチ演出を実行し、前記導出表示指令情報が出力されたときに表示結果を導出表示する制御を行ない、
前記指令情報出力手段は、前記始動条件判別手段により前記始動条件が成立した旨の判別がなされてから所定期間経過後に前記可変開始指令情報を出力し、
前記可変表示用判定処理手段は、前記所定期間内に前記所定の判定処理の実行を完了させることを特徴とする、遊技機。
【手続補正２】
【補正対象書類名】明細書
【補正対象項目名】０００７
【補正方法】変更
【補正の内容】
【０００７】
［課題を解決するための手段］
表示状態が変化可能な可変表示装置を有し、該可変表示装置の表示結果が予め定められた特定の表示態様になった場合に、遊技者に有利な特定遊技状態に制御可能な遊技機であって、
前記遊技機の遊技状態を制御する手段であって、前記可変表示装置における表示を制御するための指令情報を出力する遊技制御手段と、
該遊技制御手段から出力された前記指令情報にしたがって前記可変表示装置における可変表示を開始させた後表示結果を導出表示する制御を行なう可変表示制御手段とを含み、
前記遊技制御手段は、
前記可変表示装置における可変表示の始動条件が成立したか否かを判別する始動条件判別手段と、
該始動条件判別手段により前記始動条件が成立した旨の判別がなされたことに基づいて、前記可変表示装置における可変表示の可変表示態様を決めるために必要となる所定の判定処理を行なう可変表示用判定処理手段と、
前記所定の判定処理の判定結果に基づいて決まる可変表示態様での可変表示制御を指令する前記指令情報を出力する指令情報出力手段とを含み、
該指令情報出力手段は、前記指令情報として、前記可変表示装置における可変表示を開始させるタイミングで、可変表示時間およびリーチ演出の実行の有無を特定可能な可変開始指令情報を出力するとともに、表示結果を導出表示するタイミングで、導出表示指令情報を出力し、
前記可変表示制御手段は、前記可変開始指令情報が出力されたときに前記可変表示装置における可変表示を開始させる制御を行なうとともに前記可変開始指令情報に基づいてリーチ演出を実行し、前記導出表示指令情報が出力されたときに表示結果を導出表示する制御を行ない、
前記指令情報出力手段は、前記始動条件判別手段により前記始動条件が成立した旨の判別がなされてから所定期間経過後に前記可変開始指令情報を出力し、
前記可変表示用判定処理手段は、前記所定期間内に前記所定の判定処理の実行を完了させることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
［作用］
請求項１に記載の本発明によれば、次のように作用する。遊技機の遊技状態を制御する手段である遊技制御手段の働きにより、可変表示装置における表示を制御するための指令情報が出力される。可変表示制御手段の働きにより、遊技制御手段から出力された指令情報にしたがって可変表示装置における可変表示を開始させた後表示結果を導出表示する制御が行なわれる。遊技制御手段に含まれる始動条件判別手段の働きにより、可変表示装置における可変表示の始動条件が成立したか否かが判別される。遊技制御手段に含まれる可変表示用判定処理手段の働きにより、始動条件判別手段により始動条件が成立した旨の判別がなされたことに基づいて、可変表示装置における可変表示の可変表示態様を決めるために必要となる所定の判定処理が行なわれる。指令情報出力手段のさらなる働きにより、指令情報として、可変表示装置における可変表示を開始させるタイミングで、可変表示時間およびリーチ演出の実行の有無を特定可能な可変開始指令情報が出力されるとともに、表示結果を導出表示するタイミングで、導出表示指令情報が出力される。可変表示制御手段のさらなる働きにより、可変開始指令情報が出力されたときに可変表示装置における可変表示を開始させる制御が行なわれるとともに前記可変開始指令情報に基づいてリーチ演出が実行され、導出表示指令情報が出力されたときに表示結果を導出表示する制御が行なわれる。遊技制御手段に含まれる指令情報出力手段の働きにより、所定の判定処理の判定結果に基づいて決まる可変表示態様での可変表示制御を指令する指令情報が出力される。指令情報出力手段のさらなる働きにより、始動条件判別手段により始動条件が成立した旨の判別がなされてから所定期間経過後に可変開始指令情報が出力される。可変表示用判定処理手段のさらなる働きにより、所定期間内に所定の判定処理の実行が完了させられる。このように、始動条件が成立してから所定期間経過後に可変開始指令情報が出力されるが、その所定期間内において可変表示態様を決めるために必要となる所定の判定処理の実行が完了される。つまり、可変開始指令情報が出力される前の段階、すなわち、可変表示が開始される前の段階で所定の判定処理が完了されるのである。このため、遊技制御手段における可変表示制御に関する制御負担が可変開始後に偏り過ぎないようにすることが可能になる。その結果、遊技制御手段における可変表示制御に関する制御処理が円滑に行なえるようにすることが可能になる。
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】変更
【補正の内容】
【００２５】
［課題を解決するための手段の具体例の効果］
請求項１に関しては、次のような効果を得ることができる。始動条件が成立してから所定期間経過後に可変開始指令情報が出力されるが、その所定期間内において可変表示態様を決めるために必要となる所定の判定処理の実行が完了される。つまり、可変開始指令情報が出力される前の段階、すなわち、表示が可変開始される前の段階で所定の判定処理が完了されるのである。このため、遊技制御手段における可変表示制御に関する制御負担が可変開始後に偏り過ぎないようにすることができる。その結果、遊技制御手段における可変表示制御に関する制御処理が円滑に行なえるようにすることができる。
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】０２４６
【補正方法】変更
【補正の内容】
【０２４６】
図１０に示された特別始動記憶口スイッチ処理により、前記可変表示装置での可変表示の始動条件が成立したか否かを判別する始動条件判別手段が構成されている。
図９に示された特別図柄プロセス処理におけるプロセス処理用のサブルーチンにより、前記始動条件判別手段により前記始動条件が成立した旨の判別がなされたことに基づいて、前記可変表示装置での可変表示態様を決めるために必要となる所定の判定処理（たとえば大当りの判別、変動パターンの決定、予定停止図柄の決定等のための判定）を行なう可変表示用判定処理手段が構成されている。
【手続補正３０】
【補正対象書類名】明細書
【補正対象項目名】０２４７
【補正方法】変更
【補正の内容】
【０２４７】
図１７に示された表示制御データ処理のステップにより、前記可変表示用判定処理の判定結果に基づいて決まる可変表示態様での可変表示制御を指令する前記指令情報を出力する指令情報出力手段が構成されている。